(57)【要約】【課題】係合体の回転モーメントに起因した不具合を解消したり緩和し、それによりラッチ操作力等の設計自由度を拡大したり摺動音の発生を解消する。【解決手段】ハウジング１と、被係脱部材９と当接する突当部２２及びカム溝２７を有してハウジングに対し進退可能に配置された摺動体２と、摺動体２をハウジングから突出する方向へ付勢しているばね部材４と、摺動体に対し枢支部を介し回転自在に支持されて、爪部３２を突当部２２の上に突出して被係脱部材９を係止可能にする係止位置及び突当部２２の上から退行する係止解除位置に切り換えられる係合体３と、カム溝２７をトレースするピン部材５とを備えたラッチ装置において、前記係合体３は、摺動体２に対し、係合体３の枢支部３５を支点とした回転中心と、係合体３が係止位置に切り換えられた状態での爪部３２とが被係脱部材９の抜き出し方向に対向するよう支持されていることを特徴としている。【選択図】図５
2010106478.tif 000002
【特許請求の範囲】
【請求項１】
ハウジングと、被係脱部材と当接する突当部及びカム溝を有して前記ハウジングに対し進退可能に配置された摺動体と、前記摺動体を前記ハウジングから突出する方向へ付勢しているばね部材と、前記摺動体に対し枢支部を介し回転自在に支持されて、先端側の爪部を前記突当部の上に突出して被係脱部材を係止可能にする係止位置及び前記突当部の上から退行する係止解除位置に切り換えられる係合体と、前記カム溝をトレースするピン部材とを備え、前記摺動体が押圧されて前記ばね部材の付勢力に抗して移動されると、その移動後の位置に前記カム溝及びピン部材を介して保持され、かつ前記係合体が係止解除位置から係止位置に切り換えられるラッチ装置において、
前記係合体は、前記摺動体に対し、前記係合体の前記枢支部を支点とした回転中心と、前記係合体が前記係止位置に切り換えられた状態での前記爪部とが前記被係脱部材の抜き出し方向に対向するよう支持されていることを特徴とするラッチ装置。
【請求項２】
前記係合体は、前板部及び前記前板部から後方向へ突設した後片部とからなり、前記前板部が前記爪部、及び前記爪部と所定隙間を保ちかつ該爪部と同方向に突設されて枢支部用軸部又は軸穴付きの突出部を有していると共に、前記後片部が側面に設けられた凸部を有し、前記凸部が前記ハウジングの内側に設けられた張出部に乗り上げることで前記係止位置から前記係止解除位置に切り換えられることを特徴とする請求項１に記載のラッチ装置。
【発明の詳細な説明】
【技術分野】
【０００１】
本発明は、第１部材（例えば、箱状基体）に第２部材（例えば、蓋等の可動体）を着脱可能に係止するようなときに用いられるラッチ装置のうち、特に最初の押し操作により第２部材側の被係脱部材を係止し、次の押し操作により係止解除するプッシュ・プッシュ係止機構（これはプッシュロック・プッシュオープン機構と称されたり、プッシュ式と略称されることもある、以下、同じ）に好適なラッチ装置に関するものである。
【背景技術】
【０００２】
図９は特許文献１に開示のプッシュ式のラッチ装置を示している。この構造では、ハウジング２と、被係脱部材であるストライカー６２と当接する突当部３２及びカム溝５を有し、ハウジング２内に配置されてばね部材４５の付勢力に抗して押圧移動される摺動体３０と、先端側の爪部３９及び基端側の凸部３８ｃを有して摺動体３０に枢支されている係合体３７と、トレース用のピン部材６とを備えている。このうち、係合体３７は、摺動体３０の対応軸穴部に対し両側に設けられた軸部３７ａを嵌合した状態で枢支されて、摺動体３０の位置移動により、同（ｂ）のごとく爪部３９を突当部３２上に突出してストライカー６２を係止する係止位置と、同（ａ）のごとく爪部３９を突当部３２上から退行する係止解除位置とに切り換えられる。係止解除位置では、摺動体３０がばね部材４５の付勢力でハウジング２の入口側に移動され、係合体３７がハウジング２内に設けられた張出部２８に凸部３８ｃを乗り上げることでその状態を保つ。係止位置では、摺動体３０がストライカー６２の押し力でばね部材４５の付勢力に抗して奥側に移動され、該移動後の位置にカム溝５及びピン部材６の係合を介し保持され、係合体３７が凸部３８ｃを張出部２８から低くなった部分に移動し、かつ傾動して爪部３９を摺動体側の開口３３内から突出する。
【０００３】
換言すると、以上のラッチ装置は、摺動体３０に対するストライカー６２の押し力により係合体３７を係止解除位置から係止位置に切り換え、かつ、摺動体３０に対するストライカー６２の次の押し力により係止位置から係止解除位置に切り換える。その際、ばね部材４５は、上側が係合体３７の下側中間に設けられた突片部に係止されており、摺動体３０が奥へ押圧移動される過程で付勢力を蓄積しながら、係合体３７を軸部３７ａを支点として同図の逆時計回りへ回動し係止解除位置から係止位置方向へ切換可能とする。使用形態としては、本体側にラッチ装置を取り付け、扉側にストライカー６２を設けた場合だと、図９（ｂ）が扉を本体に保持（ロック）した状態となり、扉側のストライカー６２が本体側のラッチ装置を構成している係合体３７により係止される。この係止は、扉が再び本体側へ押されることで、ピン部材６がカム溝５の係止溝から外れて同（ａ）のごとく係止解除される。このような構造は特許文献２や３のラッチ装置でも同様である。
【特許文献１】特開２００４−１３７７２５号公報
【特許文献２】特開２００１−２６２９１５号公報
【特許文献３】特開２００６−２２５４３号公報
【発明の開示】
【発明が解決しようとする課題】
【０００４】
上記したラッチ装置では、扉の閉状態で扉を開こうとする外力（扉を本体から離間する方向の外力）が作用すると、係合体３７がストライカー６２の引き抜き方向の応力を受けて摺動体３０の対応部（開口３３を区画している枠部の内面）に圧接される。この構造では、そのときに生じる摩擦力により係合体３７とストライカー６２との間に高い係止力が得られるようにし、扉が不用意に開くという事態を防止している。また、扉に対し更に過大な外力が作用した場合には、係合体３７が爪部３９を突当部３２上から退行するよう回転、つまり係止位置から係止解除位置に切り換えられるようにして破損を回避している。そのときの引き抜き力は無理抜き強度と称されている。すなわち、従来構造では、係合体３７が係止位置において、爪部３９ａが軸部３７ａ、つまり係合体３７の回転中心線上から外れるよう設けられ、かつストライカー６２の引き抜き方向の応力を受けると、軸部３７ａを支点とした回転モーメントが発生する構成である。
【０００５】
ところが、この回転モーメントは、ばね部材４５としての付勢荷重ないしはスプリング荷重に比例し、例えば、スプリング荷重を弱く設定すると無理抜き強度も低下する。このため、従来構造だと、無理抜き強度と切り離して、ラッチ操作力などを任意に設定し難く、その点から設計自由度が制約されていた。また、従来構造では、上述したごとく爪部３９を摺動体３０の対応部に圧接したり摩擦接触させることで前記回転モーメントに抗して目的の無理抜き強度を確保する。そのようにして爪部３９が摺動体３０の対応部に摩擦接触する構造だと、例えば、使用環境が低温になると、露結により圧接抵抗や摩擦抵抗が大きくなって係合体の回転が損なわれ、作動不良の要因となる。しかも、無理抜き強度がばらついたり圧接や摩擦に起因した摺動音が発生し易くなる。なお、特許文献３の技術は、そのような作動不良を解消したものであるが、微細加工を必須としているため小型化すると実施が困難となる。
【０００６】
そこで、本発明の目的は、上記した回転モーメントに起因した不具合を解消したり緩和し、それによりラッチ操作力等の設計自由度を拡大したり、作動不良を確実に解消したり、摺動音の発生を解消して、品質を向上することにある。
【課題を解決するための手段】
【０００７】
上記目的を達成するため本発明は、ハウジングと、被係脱部材と当接する突当部及びカム溝を有して前記ハウジングに対し進退可能に配置された摺動体と、前記摺動体を前記ハウジングから突出する方向へ付勢しているばね部材と、前記摺動体に対し枢支部を介し回転自在に支持されて、先端側の爪部を前記突当部の上に突出して被係脱部材を係止可能にする係止位置及び前記突当部の上から退行する係止解除位置に切り換えられる係合体と、前記カム溝をトレースするピン部材とを備え、前記摺動体が押圧されて前記ばね部材の付勢力に抗して移動されると、その移動後の位置に前記カム溝及びピン部材を介して保持され、かつ前記係合体が係止解除位置から係止位置に切り換えられるラッチ装置において、前記係合体は、前記摺動体に対し、前記係合体の前記枢支部を支点とした回転中心と、前記係合体が前記係止位置に切り換えられた状態での前記爪部とが前記被係脱部材の抜き出し方向に対向するよう支持されていることを特徴としている。
【０００８】
請求項２の発明は、以上の発明において、前記係合体が前板部及び前記前板部から後方向へ突設した後片部とからなり、前記前板部が前記爪部、及び前記爪部と所定隙間を保ちかつ該爪部と同方向に突設されて枢支部用軸部又は軸穴付きの突出部を有していると共に、前記後片部が側面に設けられた凸部を有し、前記凸部が前記ハウジングの内側に設けられた張出部に乗り上げることで前記係止位置から前記係止解除位置に切り換えられることを特徴としている。
【発明の効果】
【０００９】
請求項１の発明では、係合体を摺動体に対し、係合体の回転中心と、係止位置にある係合体の爪部とが被係脱部材の抜き出し方向に対向するよう枢支されているため、例えば図４（ａ）の場合だと、扉の閉状態（係合体が係止位置）で扉を開こうとする外力、つまり同図の右矢印方向の外力が作用しても、爪部と被係脱部材とが平行に当接係合される限り、従来品のごとく係合体に回転モーメント（係合体を係止解除する方向へ回転しようとする応力）がかからない。従って、従来品に比べて次のような利点を有している。
【００１０】
（ア）上記した無理抜き強度は、ばね部材のスプリング荷重にほとんど影響されず、爪部と被係脱部材との当接形状により設定できる。例えば、無理抜き対応のラッチ装置では、被係脱部材に対する爪部の当接面又は／及び爪部に対する被係脱部材の当接面に無理抜き度合いに応じて抜け易くなる方向の勾配を設定する（図５（ｃ）を参照）。無理抜き否対応のラッチ装置では、互いの当接面を引き抜き方向と直角となるよう設定する。
（イ）よって、この構造では、無理抜き強度を確保するため従来のごとく爪部を摺動体の対応部（開口を区画している枠部の内面）に圧接したり摩擦接触する必要がなくなるため、低温時においても安定した作動を維持でき、圧接や摩擦に起因した摺動音の問題を解消できる。
【００１１】
請求項２の発明では、従来品に比べて、特に係合体を構成している前板部が爪部、及び爪部と所定隙間を保ちかつ爪部と同方向に突出された軸部又は軸穴付きの突出部を有した構成により本発明を容易に実施可能にする。
【発明を実施するための最良の形態】
【００１２】
以下、本発明の最良形態を図１〜図８を参照しながら説明する。なお、図面では図６〜図８の部品図を除いて細部を簡略化ている。以下の説明では、装置構造、組立、作動の順に詳述する。
【００１３】
（装置構造）形態のラッチ装置は、一端側を開口したハウジング１と、ストライカー９と当接する突当部２２及びカム溝２７を有してハウジング１に対し進退可能に配置された摺動体２と、摺動体２に対し回転自在に支持されて、爪部３２を突当部２２の上に突出してストライカー９を係止可能にする係止位置及び突当部２２の上から退行する係止解除位置に切り換えられる係合体３と、摺動体２をハウジング１から突出する方向へ付勢しているばね部材４と、カム溝２７をトレースするピン部材５とを備え、摺動体２が押圧されてばね部材４の付勢力に抗して移動されると、その移動後の位置にカム溝２７及びピン部材５を介して保持され、かつ係合体３が係止解除位置から係止位置に切り換えられるプッシュ・プッシュ係止機構からなる。
【００１４】
また、このラッチ装置は、例えば、図１（ｂ）の一点鎖線に示した機器類の本体７側に設けられた取付枠７ａに取り付けられ、図４（ａ）の一点鎖線に示した扉８に取り付けられたストライカー９を係脱する使用例だと、扉８が不図示の付勢手段の付勢力に抗して閉位置方向へ押されると、該扉８をストライカー９を介して係止し、更に扉８が同方向へ押されると、ストライカー９に対する係止を解除する。勿論、使用方法としては、ラッチ装置を扉等の可動体側に取り付けて、機器類の本体側に取り付けられる被係脱部材を係脱する構成でもよい。また、材質は、ハウジング１、摺動体２、係合体３は樹脂成形品であるが、樹脂以外でも差し支えない。
【００１５】
ここで、ハウジング１は、図３及び図６のごとく内部が上下壁１０，１１と、両側壁１２と、底壁１３とで区画形成され、一端側を開口した有底筒形となっている。また、ハウジング１は、両側壁１２の一端側を構成している外面１５が一段張り出していて図１（ｂ）のごとく本体側の取付枠７ａに抜け止め可能に挿入される。このうち、上壁１０の内面には、ピン規制用縦リブ１４がピン部材５のＵ形に対応して対に突設されている。各縦リブ１４は、底壁１３から前側に延び、かつ、後側が一段大きく張り出した状態に設けられて、図４（ａ）のごとくピン部材５のＵ形両側部５ｂを位置規制する。下壁１１には、前後中間に位置して摺動体２の移動範囲を規制する貫通されたガイド溝１１ａと、一端側からガイド溝１１ａに連通している浅い導入溝１１ｂと、内面両側に突設されて係合体３を係止解除方向へ回転可能にする張出部１６とが設けられている。両側壁１２には、コ形スリット１２ａで区画されて先端側を外へ張り出している取付用の弾性係止爪１７と、矩形の４箇所の角部のうち対向壁の一方側の各角部を前後略中間部から外面１５の手前まで切り欠いたテーパー１０ａと、テーパー１０ａより後側に設けられた切欠部１２ｂとが設けられている。両側壁１２の一端側内面には、逃げ凹部１２ｃがそれぞれ対向して設けられている。逃げ凹部１２ｃは、弾性係止爪１７などを形成するための成形型用の逃げである。
【００１６】
底壁１３には、下両側に貫通された型抜き穴１３ａと、上両側に貫通された略Ｌ形のピン挿通穴１３ｂと、両ピン挿通穴１３ｂの間に小スリット１３ｃを介し区画形成された弾性挟持片１３ｄ，１３ｅと、内面に突出されたばね用支持軸１８などが設けられている。各ピン挿通穴１３ｂは、ピン部材５の線径よりも若干大きな穴幅からなり、略Ｕ形のピン部材５をこの穴からケース内へ挿入可能にする。弾性挟持片１３ｄ，１３ｅは、小隙間を介し対向配置され、ピン部材５のＵ形中間部５ａが図１（ｄ）のごとく前後方向より所定の挟持力で保持可能にする。支持軸１８は、左右中間に突設されている。そして、弾性挟持片１３ｄ，１３ｅには、ピン部材５が枢支され、支持軸１８にはばね部材４が保持される。ばね部材４はコイルばねであり、下側が支持軸１８に軸装され、上側が後述する摺動体２の筒部２６内から係合体３の突片部３４に係止される。
【００１７】
摺動体２は、図３及び図７のごとくハウジング１の出入口側に配置される本体２０と、本体２０の後方に突設されて本体２０より幅細になっている後延長部２１とからなる。本体２０は、前端面の上側端面が突当部２２に設定されており、該前端面の下側より前方へ突出されて開口２３ａを形成している枠部２３と、突当部２２の後方側に設けられて上面２０ａ及び両側面２０ｂで区画された空洞部２４と、両側面２０ｂに同軸線上に設けられている枢支部用の軸穴２４ａとを有している。空洞部２４は、下側を開口していると共に、突当部２２と対向する後面側のうち、後延長部２１を突出している部分の両側に通し穴２０ｄを介して後外側にも開口している。
【００１８】
後延長部２１は、両側にハート形のカム溝２７を形成している上側部分２５と、その上側部分２５と同方向に延びる下側の筒部２６で構成されている。両側のカム溝２７は、図７（ｄ）のごとく略同形であり、凸状カム島２８の周りに設けられて、後側から前下側へ延びる誘導溝２７ａと、誘導溝２７ａの前側に位置して上下に別れている係止用誘導溝２７ｂ及び解除用誘導溝２７ｄと、誘導溝２７ｂ，２７ｄの間でかつ後側に位置した凹状係止溝２７ｃと、誘導溝２７ｄから後側へ延びる復帰溝２７ｅなどで構成されている。これに対し、筒部２６は、筒内が上記した支持軸１８及びばね部材４の上側を遊嵌可能な筒孔を形成しており、前下側に突設されて上記ガイド溝１１ａと嵌合される突起２６ａと、後上側で両側に向けて突設されているガイド用小翼２９とを有している。
【００１９】
ピン部材５は、従来と同様に、図３のごとくＵ形の中間部５ａと、両側部５ｂと、各側部５ｂの自由端側を内側に折り曲げた先端５ｃとからなり、Ｕ形の上幅寸法が下幅寸法よりも若干大きく形成されている。下幅寸法は、ハウジング１内にあって、両側壁２１の内面間の幅寸法にほぼ一致している。
【００２０】
係合体３は、図３と図８のごとく前板部３０と、前板部３０から後方向へ突設した後片部と３１，３１とからなる。前板部３０には、上側に突出した爪部３２と、爪部３２と所定隙間を保ちかつ該爪部と同方向に突出された突出部３３と、後端面の左右中間に突出されて前記した筒部２６の筒内に入る突片部３４とが設けられている。爪部３２は、摺動体側の開口２３ａに自在に進入されたり退行される大きさとなっている。両突出部３３には、枢支用軸部３５が同軸線上に突出形成されている。両後片部３１の後外側面には凸部３６がそれぞれ設けられている。
【００２１】
（組立）以上の各部材は、例えば、係合体３がまず摺動体２に組み付けられる。この作業では、図３の状態から両側の軸部３５を摺動体２の空洞部内から軸穴２４ａに押し込める。すると、係合体３は、軸部３５を支点として、所定範囲だけ回転自在に枢支され、爪部３２が図２（ｂ）及び図４（ｃ）のごとく開口２３ａ内に収まった係止解除位置と、図２（ａ）及び図４（ａ）のごとく開口２３ａから突出されてストライカー９の凸部又は爪９ａを上から押さえる係止位置とに切換可能となる。また、以上の係合体３は、摺動体側本体２０に対し軸穴２４ａと軸部３５の嵌合を介して枢支されて、爪部３２が開口２３ａから突当部２２上に突出された係止位置に配置された状態で、爪部３２と突出部３３との間に突当部２２を位置させ、爪部３２が開口２３ａ内に退行して係止解除位置に配置された状態で後延長部２１の細くなった逃げ部に対応部を逃がす。
【００２２】
次に、以上の係合体３付きの摺動体２はハウジング１内に組み付けられる。この作業では、例えば、予めばね部材４を支持軸１８に軸装し、ピン部材５を底壁１３に揺動可能に保持した状態にしてそれぞれハウジング１内に配置しておく。ピン部材５は、両側の先端５ｃを各ピン挿通穴１３ｂからハウジング内に挿入してから、Ｕ形中間部５ａを弾性挟持片１３ｄ，１３ｅ側に強制的に移動することにより、その両挟持片の間に挟持される。この挟持状態では、ピン部材５がハウジング１内に起立保持され、Ｕ形両側部５ｂが規制用縦リブ１４と対応内側面との間に位置規制される。また、係合体３付きの摺動体２は、ハウジング１内に押し入れられると、突起２６ａが導入溝１１ｂからガイド溝１１ａに落ち込んで嵌合されたときに、ハウジング１に対し抜け止めされて組み付けられる。この押し入れ過程では、ばね部材４の上側が筒部２６内に入り、係合体３の突片部３４に当接する。そして、ばね部材４は、摺動体２が奥へ押圧移動される過程で付勢力を増大し、該付勢力によって係合体３を軸部３５を支点として係止位置方向へ回転可能にする。また、ピン部材５の両先端５ｃは、対応するカム溝２７の溝入口に入る。
【００２３】
（作動）完成されたラッチ装置は、使用態様として、例えば、図４（ａ）のごとく扉８に取り付けられたストライカー９に対応して、図１（ｂ）のごとく機器類側本体７に設けられた取付枠７ａに挿入され弾性係止爪１７等を介し取り付けられる。取付状態において、ラッチ装置は、通常、図２（ｂ）のごとく摺動体２がばね部材４により突出方向へ付勢移動（この移動は突起２６ａがガイド溝１１ａの前端面に当たることで規制される）されると共に、爪部３２が摺動体側開口２３ａ内に入る方向へ回転（この回転は凸部３６が張出部１６の最も高くなった箇所に乗り上げる）されている。この状態が「係合体３の係止解除位置」である。そして、扉８が閉方向である図４（ａ）の左矢印方向に押し操作されると、摺動体２はストライカー９によりばね部材４の付勢力に抗してハウジング内に没する方向へ押圧移動される。その移動過程では係合体３が軸部３５を支点として係止位置方向へ回転される。すると、係合体３は、凸部３６が張出部１６の低い側へ弾性的に移行し、同時にストライカーの爪９ａを爪部３２を介して抜け止めする。このとき、係合体３は、図４（ａ）のごとくピン部材５の各先端５ｃが摺動体２及び係合体３の後方移動によって上記した誘導溝２７ａから係止用誘導溝２７ｂに入り、左矢印方向の押圧力を解放したときに、係止溝２７ｃに係止される。この係止により、扉８が閉状態に保持（ロック）される。
【００２４】
以上の扉保持状態から図４（ｃ）の解除状態に切り換えるときは、図４（ｂ）のごとく扉を閉じ方向へ押した後、該押し力を解放する。すると、ピン部材５の両先端５ｃは、上記した係止溝２７ｃから上記した解除用誘導溝２７ｄ、復帰溝２７ｅを経て再び誘導溝２７ａから溝入口に戻り、同時に、係合体３が当初の解除位置に切り換えられる。このラッチ装置は、以上のような通常の作動において従来と同様であるが、次の点で改良されている。
【００２５】
すなわち、従来のラッチ装置では、課題に述べたごとく寒冷地等の過酷な環境下で用いられると、係合体が係止位置においてその爪部を摺動体の開口内面に摩擦接触しているため、回転し難くなって正常な係止作動、つまり係止解除位置から係止位置に切り換えられなくなる虞があった。しかし、以上の構造では、係合体３を摺動体２に対し、係合体３が軸部３５及び軸穴２４ａの嵌合ないしは枢支部を支点として回転するときの回転中心線と、係合体３が係止位置に切り換えられた状態での係合体の爪部３０とがストライカー９の抜き出し方向に対向するよう枢支されている。このため、このラッチ装置では、図５（ａ），（ｃ）のごとく、上記した扉８の閉状態（係合体３が係止位置）で該扉を開こうとする外力、つまり同図の右矢印方向の外力が作用したとき、例えば爪部３２とストライカーの爪９ａとが平行に当接係合される限り、従来品のごとく係合体３に回転モーメント（係合体３を係止解除する方向へ回転しようとする応力）がかからない。これにより、このラッチ装置では従来品に比べて次のような展開が可能となる。
【００２６】
この構造では、課題で述べた無理抜き強度（これは図５（ａ）のごとく係合体３の係止位置において、上記した扉に対し扉開方向である同図の右矢印方向に過大な外力が作用したとき、係合体３が爪部３２を突当部２２上から退行するよう回転、つまり係止解除位置に切り換えられるようにして破損を回避する、そのときの強度）として、摺動体側開口２３ａの内面に対する係合体の爪部３２の摩擦接触をなくし（これは図５（ｃ）の拡大図のごとく開口２３ａと爪部３２との間に隙間を設定しているためである）、ばね部材４のスプリング荷重にほとんど影響されず、係合体３の爪部３２とストライカー９の爪９ａとの当接形状により設定できる。
【００２７】
すなわち、無理抜き対応のラッチ装置として構成する場合は、ストライカー９（の爪９ａ等）に対する爪部３２の当接面又は／及び爪部３２に対するストライカー９の当接面に無理抜き度合いに応じて抜け易くなる方向の勾配を設定する。図５（ｃ）はその一例として、ストライカー９に対する爪部３２の当接面を微小角ｘだけ傾斜した構成を示している。逆に、無理抜き否対応のラッチ装置として構成する場合は、互いの当接面を引き抜き方向と直角となるよう設定する。このようにして、この構造では、無理抜き強度を確保するため従来のごとく爪部を摺動体の対応部（開口を区画している枠部の内面）に圧接したり摩擦接触する必要がなくなるため、低温時においても安定した作動を維持でき、圧接や摩擦に起因した摺動音の問題を簡易に解消できる。
【００２８】
なお、本発明は以上の形態に何ら制約されることなく、請求項で特定される要件を備えておれば、必要に応じて種々変更可能なものである。その一例として、係合体３を摺動体２に枢支する構造としては、摺動体２には軸穴２４ａに代えて軸部を設け、係合体３には軸部３５に代えて軸穴を設けて、係合体３を摺動体２に対しそれら軸部及び軸穴の嵌合を介して枢支するようにしたり、更に摺動体２及び係合体３に共に軸穴を設けて、係合体３を摺動体２に対しそれら軸穴同士に挿通されるシャフトを介して枢支する構成でもよい。
【図面の簡単な説明】
【００２９】
【図１】本発明形態のラッチ装置を係合体の係止位置で示し、（ａ）は正面図、（ｂ）は上面図、（ｃ）は側面図、（ｄ）は背面図である。
【図２】（ａ）は図１のラッチ装置を示す概略斜視図、（ｂ）は上記係合体を係止解除位置に切り換えた状態での概略斜視図である。
【図３】上記ラッチ装置の部材同士の関係を示す概略分解図である。
【図４】上記ラッチ装置の通常作動を図１のＡ−Ａ線断面図で示し、（ａ）は上記係合体を係止位置に切り換えた状態での図、（ｂ）は上記係合体を係止解除するときの状態での図、（ｃ）は上記係合体を係止解除位置に切り換えた状態での図である。
【図５】上記ラッチ装置の無理抜き作動を図１のＡ−Ａ線断面図で示し、（ａ）はストライカーが引き抜き方向の外力を受けた状態での図、（ｂ）は無理抜きしたときの状態での図、（ｃ）は（ａ）のＡ部を拡大した図である。
【図６】上記ラッチ装置のハウジング単品を示し、（ａ）は側面図、（ｂ）は正面図、（ｃ）は（ａ）Ｂ−Ｂ線断面図、（ｄ）は（ｂ）Ｃ−Ｃ線断面図である。
【図７】上記ラッチ装置の摺動体単品を示し、（ａ）は上面図、（ｂ）は側面図、（ｃ）は下面図、（ｄ）は背面図、（ｅ）は（ｄ）Ｄ−Ｄ線断面図である。
【図８】上記ラッチ装置の係合体単品を示し、（ａ）は上面図、（ｂ）は背面図、（ｃ）は側面図、（ｄ）は正面図、（ｅ）は下面図である。
【図９】（ａ），（ｂ）従来のラッチ装置を係止解除位置及び係止位置で示す作動図である。
【符号の説明】
【００３０】
１…ハウジング（１１ａはカイド溝、１３は底壁、１６は張出部、１８は支持軸）
２…摺動体（２０は本体、２２は突当部、２３は枠部、２４ａは軸穴）
３…係合体（３０は前板部、３１は後片部、３２は爪部、３３は突出部）
４…ばね部材
５…ピン部材（５ａは中間部、５ｂは側部、５ｃは先端）
７…本体（７ａは取付枠）
８…扉（９は被係脱部材であるストライカー）
２１…後延長部（２５は上側部分、２６は筒部）
２７…カム溝（２７ｃは係止溝）
３５…軸部
【図１】
2010106478.tif 000003
【図２】
2010106478.tif 000004
【図３】
2010106478.tif 000005
【図４】
2010106478.tif 000006
【図５】
2010106478.tif 000007
【図６】
2010106478.tif 000008
【図７】
2010106478.tif 000009
【図８】
2010106478.tif 000010
【図９】
2010106478.tif 000011